(57)【要約】【課題】  読み取り対象の原稿の材質に左右されることなく高画質での読み取りを可能とするとともにデフェクトの発生防止を可能にした画像読取装置を提供する。【解決手段】  原稿台３０の平面に対して異なる角度でＬＥＤ光源１およびＬＥＤ光源２を設置し、画像読取処理に際して指定された読取モードに基づいて当該ＬＥＤ光源１およびＬＥＤ光源２を発光させる。これらのＬＥＤ光源によって発光されたＬＥＤ光は原稿に照射し、そのＬＥＤ光に対する反射光を集光板で集光することによってＣＣＤセンサ１４が電気信号に変換して画像データの生成を行う。【選択図】  図１
2010220054.tif 000002
【特許請求の範囲】
【請求項１】
原稿台に載置された読取対象を異なる照射角度で照射する複数の光照射部と、
前記複数の光照射部により照射された前記読取対象からの反射光を受光する受光部と、
前記受光部によって受信した反射光に基づき前記読取対象に対応する画像データを生成する画像データ生成部と
を具備する画像読取装置。
【請求項２】
前記光照射部は、
前記読取対象を第１の照射角度で照射する第１の光照射部と、
前記読取対象を前記第１の照射角度とは異なる第２の照射角度で照射する第２の光照射部と
を備え、
前記受光部は、
前記第１の光照射部により照射された前記読取対象からの第１反射光と前記第２の光照射部により照射された前記読取対象からの第２反射光とを受光する請求項１記載の画像読取装置。
【請求項３】
前記光照射部は、
前記第１の光照射部に対して正対して設けられ、前記読取対象を前記第１の照射角度で照射する第３の光照射部と、
前記第２の光照射部に対して正対して設けられ、前記読取対象を前記第２の照射角度で照射する第４の光照射部と
を備え、
前記第３の光照射部は、
前記読取対象を前記第１の光照射部と同一の最大光量で照射し、
前記第４の光照射部は、
前記読取対象を前記第２の光照射部と同一の最大光量で照射する請求項２記載の画像読取装置。
【請求項４】
前記第１の光照射部と前記第２の光照射部とは、
主走査方向に対して一直線に交互に設置される請求項２記載の画像読取装置。
【請求項５】
前記第１の光照射部と前記第２の光照射部とは、
副走査方向に対して縦列し、主走査方向に対してそれぞれ連続して設置される請求項２記載の画像読取装置。
【請求項６】
前記第３の光照射部と前記第４の光照射部とは、
主走査方向に対して一直線に交互に設置される請求項３記載の画像読取装置。
【請求項７】
前記第３の光照射部と前記第４の光照射部とは、
副走査方向に対して縦列し、主走査方向に対してそれぞれが連続して設置される請求項３記載の画像読取装置。
【請求項８】
前記光照射部は、
ＬＥＤ光源である請求項１乃至７のいずれかに記載の画像読取装置。
【請求項９】
前記光照射部と前記受光部と前記画像データ生成部とが同一の搬送ユニットによって構成される請求項１乃至８のいずれかに記載の画像読取装置。
【請求項１０】
前記画像データ生成部は、
前記読取対象を照射する前記光照射部を切り替える切替手段
を具備し、
前記切替手段は、
前記光照射部による前記読取対象からの反射光の最大光量が一定量を超える場合には、前記読取対象に対する最大光量が最も大きくなる照射角度からの前記光照射部による照射を消光するように切り替える請求項１乃至９のいずれかに記載の画像読取装置。
【発明の詳細な説明】
【技術分野】
【０００１】
本発明は、画像読取装置に関する。
【背景技術】
【０００２】
スキャナ等により構成される画像読取装置に設けられた原稿照射ランプは、一般的に、ハロゲンランプや蛍光灯などの光源により構成される。
【０００３】
これらの光源は、棒状であり主走査方向全面に発光しかつ全周方向に発光する。このため、良好な配光を得るためには適切に光学設計された反射板（リフレクタ）を用いる必要がある。通常、このリフレクタは原稿に対してランプの背面側に固定的に配置される。
【０００４】
原稿照射ランプから発行される直接光とリフレクタによる反射光との合成によって原稿照射の配光が得られる。
【０００５】
このような構成からなる画像の読取機構は、一般的に、読み取り画質として原稿の読み取り信号とノイズ信号との割合を示した「Ｓ／Ｎ（Signal／Noise）性能」を向上させるために、原稿面を照射する配光を光量最大に設計されている。
【０００６】
しかし、一方で最大光量を得るために、原稿面に対してより直角に近い角度で光を照射することになることから、例えば写真のミニアルバムのように表面がビニールの高光沢かつ不規則な凹凸のある原稿等では、局所的に光源の光がＣＣＤ（Charge Coupled Device）に直接反射することによってこのＣＣＤが許容できる光量に対して飽和してしまうことかがある。このため、広い範囲での白抜けなどのデフェクトとなる。
【０００７】
特許文献１に開示された技術では、原稿照射ランプ等の照明手段の位置を調整することを可能とし、この原稿照射ランプ等の照明手段の製造による姿勢や形状のばらつきによって発生する原稿読取位置近傍での照明安定性の低下及び光量ムラを良好に補正することによって、光量変動によるカブリ等の問題点を回避することを可能にしている。
【先行技術文献】
【特許文献】
【０００８】
【特許文献１】特開２００３−１６３７９０号公報
【発明の概要】
【発明が解決しようとする課題】
【０００９】
本発明は、読み取り対象の原稿の材質に左右されることなく高画質での読み取りを可能とするとともにデフェクトの発生防止を可能にした画像読取装置を提供することを目的とする。
【課題を解決するための手段】
【００１０】
上記目的を達成するため、請求項１の発明は、原稿台に載置された読取対象を異なる照射角度で照射する複数の光照射部と、前記複数の光照射部により照射された前記読取対象からの反射光を受光する受光部と、前記受光部によって受信した反射光に基づき前記読取対象に対応する画像データを生成する画像データ生成部とを具備する。
【００１１】
また、請求項２の発明は、請求項１の発明において、前記光照射部は、前記読取対象を第１の照射角度で照射する第１の光照射部と、前記読取対象を前記第１の照射角度とは異なる第２の照射角度で照射する第２の光照射部とを備え、前記受光部は、前記第１の光照射部により照射された前記読取対象からの第１反射光と前記第２の光照射部により照射された前記読取対象からの第２反射光とを受光する。
【００１２】
また、請求項３の発明は、請求項２の発明において、前記光照射部は、前記第１の光照射部に対して正対して設けられ、前記読取対象を前記第１の照射角度で照射する第３の光照射部と、前記第２の光照射部に対して正対して設けられ、前記読取対象を前記第２の照射角度で照射する第４の光照射部とを備え、前記第３の光照射部は、前記読取対象を前記第１の光照射部と同一の最大光量で照射し、前記第４の光照射部は、前記読取対象を前記第２の光照射部と同一の最大光量で照射する。
【００１３】
また、請求項４の発明は、請求項２の発明において、前記第１の光照射部と前記第２の光照射部とは、主走査方向に対して一直線に交互に設置される。
【００１４】
また、請求項５の発明は、請求項２の発明において、前記第１の光照射部と前記第２の光照射部とは、副走査方向に対して縦列し、主走査方向に対してそれぞれ連続して設置される。
【００１５】
また、請求項６の発明は、請求項３の発明において、前記第３の光照射部と前記第４の光照射部とは、主走査方向に対して一直線に交互に設置される。
【００１６】
また、請求項７の発明は、請求項３の発明において、前記第３の光照射部と前記第４の光照射部とは、副走査方向に対して縦列し、主走査方向に対してそれぞれが連続して設置される。
【００１７】
また、請求項８の発明は、請求項１乃至７のいずれかの発明において、前記光照射手段は、ＬＥＤ光源である。
【００１８】
また、請求項９の発明は、請求項１乃至８のいずれかの発明において、前記光照射部と前記受光部と前記画像データ生成部とが同一の搬送ユニットによって構成される。
【００１９】
また、請求項１０の発明は、請求項１乃至９のいずれかの発明において、前記画像データ生成部は、前記読取対象を照射する前記光照射部を切り替える切替手段を具備し、前記切替手段は、前記光照射部による前記読取対象からの反射光の最大光量が一定量を超える場合には、前記読取対象に対する最大光量が最も大きくなる照射角度からの前記光照射部による照射を消光するように切り替える。
【発明の効果】
【００２０】
本発明の請求項１によれば、読み取り対象の原稿の材質に左右されることなく高画質での読み取りを可能とするとともにデフェクトの発生を防止することが可能になるという効果を奏する。
【００２１】
また、請求項２によれば、異なる最大光量となる照射角度からなる２つの光源から照射することによって、読み取り対象の原稿の材質に左右されることなく高画質での読み取りを可能とするとともにデフェクトの発生を防止することが可能になるという効果を奏する。
【００２２】
また、請求項３によれば、左右対象の光源に基づいて照射することによって、立体的な読取対象に対してもより高画質での読み取りを可能とするとともにデフェクトの発生を防止することが可能になるという効果を奏する。
【００２３】
また、請求項４によれば、省スペースで光照射部を設置することができ、装置の小型化を行うことが可能になるという効果を奏する。
【００２４】
また、請求項５によれば、省スペースで光照射部を設置することができ、装置の小型化を行うことが可能になるという効果を奏する。
【００２５】
また、請求項６によれば、省スペースで光照射部を設置することができ、装置の小型化を行うことが可能になるという効果を奏する。
【００２６】
また、請求項７によれば、省スペースで光照射部を設置することができ、装置の小型化を行うことが可能になるという効果を奏する。
【００２７】
また、請求項８によれば、ＬＥＤ光源を用いた読み取りにおいても読み取り対象の原稿の材質に左右されることなく、高画質での読み取りを可能とするとともにデフェクトの発生を防止することが可能になるという効果を奏する。
【００２８】
また、請求項９によれば、高画質での読み取りおよびデフェクトの発生防止を、小型化した装置によって実現することが可能になるという効果を奏する。
【００２９】
また、請求項１０によれば、読取対象に応じて最適な照射を可能とし、高画質での読み取りを可能とするとともにデフェクトの発生を防止することが可能になるという効果を奏する。
【図面の簡単な説明】
【００３０】
【図１】本発明の実施の形態における画像読取装置を適用して構成した画像読取装置の装置構成を示す図の一例。
【図２】画像読取装置を真上から参照した場合における装置構成を示す図。
【図３】ＬＥＤ光源からのＬＥＤ光の照射状態およびＬＥＤ光の照射による配光の光量分布を示す図。
【図４】ＬＥＤ光源の配置構成を示す図。
【図５】ＬＥＤ光源の配置構成を示す図。
【図６】図１に示す画像読取制御部２００の詳細な構成を示すブロック図。
【図７】ＬＥＤ光源設定情報の一例を示す図。
【図８】本発明の実施の形態における画像読取装置で行われる処理の流れを示すフローチャート。
【図９】本発明の実施の形態における画像読取装置を適用して構成した画像読取装置の装置構成を示す図の一例。
【図１０】ＬＥＤ光源設定情報の一例を示す図。
【図１１】図９に示す装置構成における画像読取装置の詳細な処理の流れを示すフローチャート。
【発明を実施するための形態】
【００３１】
以下、本発明に係わる画像読取装置の一実施例を添付図面を参照して詳細に説明する。
【実施例１】
【００３２】
図１は、本発明の実施の形態における画像読取装置を適用して構成した画像読取装置の装置構成を示す図の一例である。
【００３３】
画像読取装置は、原稿台３０にセットされた読取原稿３１（以下、単に「原稿３１」という）に照射光を照射することでその原稿に対する画像データを生成する。
【００３４】
図１は、スキャナ等により構成される画像読取装置（以下、「スキャナ」という）の原稿読取機構を真横から示したものである。また、この画像読取装置を真上から示した図を図２に示している。
【００３５】
図１において、スキャナは、原稿台３０にセットされた原稿３１を光学的に読み取ることにより画像データを生成する原稿読取機構であるキャリッジ１００が設けられており、このキャリッジ１００から照射光を照射して原稿台下を移動することにより原稿の先端から読取処理を行う。
【００３６】
このときのキャリッジ１００は、原稿台３０にセットされた原稿３１に対してＬＥＤ（Light Emitting Diode）による照射光を照射する照射光源であるＬＥＤ光源１０、ＬＥＤ光源１０から照射された照射光が原稿３１に照射することにより反射された反射光のうち、原稿台３０に対して直角に反射する反射光を集光する集光板１３、集光板１３によって集光された反射光を元に電気信号に変換して画像データを生成する読取センサであるＣＣＤセンサ１４を具備して構成される。
【００３７】
このＬＥＤ光源１０は、光照射機構の一例である。
【００３８】
また、ＣＣＤセンサ１４によって生成された画像データは、制御回路等によって構成される画像読取制御部２００（コントローラ２００）によって画像補正され、スキャナ内に設けられた記憶領域に保存される。この画像読取制御部２００の詳細な構成を図６に示し、以下で説明する。
【００３９】
図１に示す本実施例では、原稿を読み取ることにより画像データを生成する機構がキャリッジ１００内に一体化された例を示しているが、原稿を読み取る読取センサやレンズ等を固定とし、ミラーだけキャリッジ内に設けて移動させることにより読取処理を行うような構成（フル・ハーフレート方式）であってよい。
【００４０】
キャリッジ１００内に設けられたＬＥＤ光源１０は、原稿台３０への照射光の照射角度が異なる複数のＬＥＤによって構成されており、図１に示す例にはＬＥＤ光源１（１１）およびＬＥＤ光源２（１２）を示している。このときのＬＥＤ光源１（１１）およびＬＥＤ光源２（１２）から照射される照射光を「ＬＥＤ光」と示す。
【００４１】
このＬＥＤ光源１０からのＬＥＤ光の照射状態およびＬＥＤ光の照射による配光の光量分布を示す図を図３に示している。
【００４２】
図３には、原稿台３０へ照射されるＬＥＤ光の照射角度が異なるＬＥＤ光源１（１１）およびＬＥＤ光源２（１２）が設けられており、これらの光源は同一の若しくは近似する光量のＬＥＤ光を照射する。
【００４３】
このＬＥＤ光源１（１１）は、原稿台３０の平面に対して「Θ（シータ）１」の角度を付けてキャリッジ１００に設置された状態にあり、また、ＬＥＤ光源２（１２）は、原稿台３０の平面に対して「Θ（シータ）２」の角度を付けてキャリッジ１００に設置された状態にある。
【００４４】
このときの「Θ（シータ）１」および「Θ（シータ）２」の角度を「照射角」と称し、図１および図３では、「Θ（シータ）１」と「Θ（シータ）２」とが異なり、「Θ（シータ）１」よりも「Θ（シータ）２」の照射角が大きな状態を示している。すなわち、ＬＥＤ光源１（１１）からのＬＥＤ光の方がＬＥＤ光源２（１２）からのＬＥＤ光よりも原稿台３０に対して入射角が小さくなり、より直角に近い角度で照射される状態を示している。
【００４５】
このようなＬＥＤ光の照射による配光の光量分布を、ＬＥＤ光源１の配光曲線（４０）およびＬＥＤ光源２の配光曲線（４１）として図３に示している。
【００４６】
ＬＥＤ光源１の配光曲線（４０）は、ＬＥＤ光源１（１１）から照射されたＬＥＤ光の光量分布を示す曲線であって、ＬＥＤ光源２の配光曲線（４１）は、ＬＥＤ光源２（１２）から照射されたＬＥＤ光の光量分布を示す曲線である。
【００４７】
ＬＥＤ光源１（１１）の配光曲線（４０）は、照射角の小さいＬＥＤ光源１（１１）からのＬＥＤ光、すなわち入射角の小さなＬＥＤ光の光量分布であって、照射角がＬＥＤ光源１（１１）よりも大きいＬＥＤ光源２（１２）からのＬＥＤ光、すなわち入射角がＬＥＤ光源１（１１）の入射光よりも大きなＬＥＤ光を照射するＬＥＤ光源２（１２）の光量分布を示すＬＥＤ光源２の配光曲線（４１）よりも狭い分布範囲で配光された状態にあり、かつ、最大光量「光量Ａ」がＬＥＤ光源２の配光曲線（４１）の最大光量「光量Ｂ」よりも大きな状態にある。
【００４８】
このことから、ＬＥＤ光源１（１１）から照射されたＬＥＤ光は、ＬＥＤ光源２（１２）から照射されたＬＥＤ光よりも局地的に強い光量を照射している。
【００４９】
このようなＬＥＤ光源１０の配置構成を示す図を図４および図５に示す。
【００５０】
図４では、ＬＥＤ光源１（１１）およびＬＥＤ光源２（１２）の配置構成を平面によって表した図を図４（ａ）に示し、ＬＥＤ光源１（１１）およびＬＥＤ光源２（１２）の配置構成を立体によって表した図を図４（ｂ）に示している。
【００５１】
図４に示すＬＥＤ光源１０の配置構成は、ＬＥＤ光源１（１１）とＬＥＤ光源２（１２）とを上下２段に配置した構成を示し、図４（ａ）および図４（ｂ）では、下１段目にＬＥＤ光源１（１１）を配置し、上２段目にＬＥＤ光源２（１２）を配置した状態を示している。
【００５２】
また、図４（ｂ）で表されるように、上下２段それぞれが異なる角度であって、この場合における下１段目の照射角が「Θ（シータ）１」であり、上２段目の照射角が「Θ（シータ）２」であることを示す。
【００５３】
続いて、図５では、ＬＥＤ光源１（１１）およびＬＥＤ光源２（１２）の配置構成を平面によって表した図を図５（ａ）に示し、ＬＥＤ光源１（１１）およびＬＥＤ光源２（１２）の配置構成を立体によって表した図を図５（ｂ）に示している。
【００５４】
図５に示すＬＥＤ光源１０の配置構成は、ＬＥＤ光源１（１１）とＬＥＤ光源２（１２）を交互に横一線に配置した構成を示し、図５（ａ）および図５（ｂ）では、ＬＥＤ光源１（１１）の隣にはＬＥＤ光源２（１２）を配置し、ＬＥＤ光源２（１２）の隣にはＬＥＤ光源１（１１）が配置された状態を示している。
【００５５】
このとき、図５（ｂ）で表されるように、ＬＥＤ光源１（１１）とＬＥＤ光源２（１２）は異なる角度によって配置されており、ＬＥＤ光源１（１１）の照射角が「Θ（シータ）１」であり、ＬＥＤ光源２（１２）の照射角が「Θ（シータ）２」であることを示す。
【００５６】
この図４および図５に示すような配置構成からなる図１に示すＬＥＤ光源１０により照射されたＬＥＤ光に対する反射光を集光板１３で集光する。この集光板１３には、ＬＥＤ光源１（１１）とＬＥＤ光源２（１２）のＬＥＤ光に対する反射光が集光され、この場合、ＬＥＤ光源１（１１）から照射されたＬＥＤ光に対する反射光のほうが、ＬＥＤ光源２（１２）から照射されたＬＥＤ光に対する反射光よりも光量が多い状態にある。
【００５７】
この集光板１３で集光された２種類の反射光を元に、ＣＣＤセンサ１４が電気信号に変換して画像データを生成する。
【００５８】
図６は、図１に示す画像読取制御部２００の詳細な構成を示すブロック図である。
【００５９】
図６において、スキャナにおける原稿の読取処理を制御する画像読取制御部２００は、入出力制御部２０、モード解析部２１、光源設定部２２、設定情報記憶部２３、読取制御部２４、画像補正部２５、画像データ保存部２６を具備して構成される。
【００６０】
スキャナの原稿台に読み取り対象の原稿がセットされ、読取処理における設定情報が指定された後にボタン等のユーザインターフェースにより読取指示が行われると、入出力制御部２０では、読取指示が行われたことをモード解析部２１に通知する。このほか、この入出力制御部２０ではユーザインターフェースを用いた指示に基づいて通信情報の設定や読取パラメータの設定等の処理を実行する。
【００６１】
入出力制御部２０から設定情報とともに読取指示が通知されると、モード解析部２１では、設定情報に設定された読取モードを解析する。このときの読取モードは、読取対象の原稿の記載内容に基づいて最適な読取処理を行うための読取パラメータ情報であって、例えば読取対象の原稿が文字によって構成されている場合における「文字モード」、文字のほか表やグラフ等の線画によって構成されている場合における「文字／画像モード」、写真等の高光沢によって構成されている場合の「光沢画像モード」が指定されている。この光沢画像モードは、最大光量が一定量を超える原稿を読み取る場合におけるモードである。
【００６２】
これらのうち、いずれの読取モードが指定されているかを解析する。
【００６３】
モード解析部２１で解析処理が行われ、いずれかの読取モードが指定されている場合にはその読取モードの情報を光源設定部２２へ送出する。光源設定部２２では、モード解析部２１から受信した読取モードの情報を元に、その読取モードに対するＬＥＤ光源の設定情報を設定情報記憶部２３から取得する。
【００６４】
設定情報記憶部２３では、図７に示すようなＬＥＤ光源設定情報を記憶している。このＬＥＤ光源設定情報は、読取モードに対するＬＥＤ光源１およびＬＥＤ光源２からのＬＥＤ光の発光有無が設定された情報である。
【００６５】
図７に示すＬＥＤ光源設定情報は、[読取モード]項目７０１、[ＬＥＤ光源１の発光有無]項目７０２、[ＬＥＤ光源２の発光有無]項目７０３によって構成され、[読取モード]項目７０１には、上記する３つの読取モード「文字モード、文字／画像モード、光沢画像モード」が設定されている。
【００６６】
また、[ＬＥＤ光源１の発光有無]項目７０２には、[読取モード]項目７０１に設定されたそれぞれの読取モードに対するＬＥＤ光源１の発光の有無が設定され、文字モードの場合にはＬＥＤ光源１を照射する「ＯＮ」とし、文字／画像モードの場合にはＬＥＤ光源１を「ＯＮ」とし、光沢画像モードの場合にはＬＥＤ光源１を消光する「ＯＦＦ」が設定されている。
【００６７】
さらに、[ＬＥＤ光源２の発光有無]項目７０３には、[読取モード]項目７０１に設定されたそれぞれの読取モードに対するＬＥＤ光源２の発光の有無が設定され、この読取モードのうち「文字／画像モード」が設定されている場合には「文字優先」であるか「光沢画像優先」であるかによってＬＥＤ光源２の発光の有無が設定されている。
【００６８】
文字モードの場合にはＬＥＤ光源２を「ＯＦＦ」とし、文字／画像モードの場合であって文字優先であるときはＬＥＤ光源２を「ＯＦＦ」、光沢画像優先であるときはＬＥＤ光源２を「ＯＮ」とし、光沢画像モードの場合にはＬＥＤ光源２を「ＯＮ」とすることが設定されている。
【００６９】
光源設定部２２では、このようなＬＥＤ光源設定情報を元にＬＥＤ光源の発光有無の設定情報を取得すると、その設定情報を読取制御部２４へと通知する。
【００７０】
読取制御部２４では、その設定情報を元に図１や図３に示すＬＥＤ光源１（１１）、ＬＥＤ光源２（１２）の発光有無を設定し、読取指示を行うことでキャリッジが移動してＣＣＤセンサ１４により画像データが生成される。
【００７１】
生成された画像データは、読取制御部２４へと送出され、読取制御部２４では、その画像データを画像補正部２５へと転送する。
【００７２】
画像補正部２５では、読み取った画像データを受信することによってその画像データの階調補正、色補正、レイアウト補正等の画像補正を行って画像データ保存部２６へと保存する。
【００７３】
図８は、本発明の実施の形態における画像読取装置で行われる処理の流れを示すフローチャートである。
【００７４】
図８において、スキャナの操作パネル等を用いて読取モード等の設定が行われ（８０１）、読取指示が行われる（８０２でＹＥＳ）と処理が開始される。
【００７５】
スキャナでは設定された読取モードを解析し（８０３）、その読取モードが「文字モード」であるかを判断する（８０４）。文字モードである場合（８０４でＹＥＳ）には、ＬＥＤ光源１を発光させて（８０７）原稿台にセットされた原稿の読取処理を行う（８０８）。
【００７６】
それに対して、文字モードでない場合（８０４でＮＯ）には、続いて、読取モードが文字／画像モードであるかを判断する（８０５）。
【００７７】
読取モードが文字／画像モードである場合（８０５でＹＥＳ）には、文字優先が設定されているかを判断する（８０６）。文字優先が設定されている場合（８０６でＹＥＳ）には、ＬＥＤ光源１を発光させ（８０７）、原稿台にセットされた原稿の読取処理を行う（８０８）。また、光沢画像優先が設定されている場合（８０６でＮＯ）には、ＬＥＤ光源１を発光させ（８０９）、またＬＥＤ光源２を発光させて（８１０）原稿台にセットされた原稿の読取処理を行う（８０８）。
【００７８】
続いて、読取モードが文字／画像モードでない場合（８０５でＮＯ）には、光沢画像モードであるかを判断する（８１１）。光沢画像モードである場合（８１１でＹＥＳ）には、ＬＥＤ２を発光させ（８１０）、原稿台にセットされた原稿の読取処理を行う（８０８）。
【００７９】
光沢画像モードでもない場合（８１１でＮＯ）には、エラー表示を行って処理を終了する（８１２）。
【実施例２】
【００８０】
図９は、本発明の実施の形態における画像読取装置を適用して構成した画像読取装置の装置構成を示す図の一例である。
【００８１】
図９に示す装置構成図は、上記の実施例１で説明する図１に示す構成図と類似することから異なる点を中心に説明する。
【００８２】
画像読取装置は、原稿台３０にセットされた読取原稿２０（以下、単に「原稿２０」という）に照射光を照射することでその原稿に対する画像データを生成する。
【００８３】
図９は、スキャナの原稿読取機構を真横から示したものであって、原稿台３０にセットされた原稿２０を光学的に読み取ることにより画像データを生成する原稿読取機構であるキャリッジ１００が設けられており、このキャリッジ１００から照射光を照射して原稿台下を移動することにより原稿の先端から読取処理を行う。
【００８４】
このときのキャリッジ１００は、原稿台３０にセットされた原稿２０に対してＬＥＤ（Light Emitting Diode）による照射光を照射する照射光源であるＬＥＤ光源１０、ＬＥＤ光源１０と対称する位置に設けられたＬＥＤ光源１０と同一のＬＥＤ光源１５、ＬＥＤ光源１０およびＬＥＤ光源１５から照射された照射光が原稿２０に照射することにより反射された反射光のうち、原稿台３０に対して直角に反射する反射光を集光する集光板１３、集光板１３によって集光された反射光を元に電気信号に変換して画像データを生成する読取センサであるＣＣＤセンサ１４を具備して構成される。
【００８５】
ちなみに、ＣＣＤセンサ１４によって生成された画像データは、制御回路等によって構成される画像読取制御部２００（コントローラ２００）によって画像補正され、スキャナ内に設けられた記憶領域に保存される。この画像読取制御部２００の詳細な構成は、実施例１で説明する図６に示している。
【００８６】
また、ＬＥＤ光源１０とＬＥＤ光源１５は、同一の構造からなるＬＥＤ光源であって、対称的（シンメトリー）に設定されている。すなわち、ＬＥＤ光源１０が図４に示すような構造からなるＬＥＤ光源である場合にはＬＥＤ光源１５も図４に示すような構造からなるＬＥＤ光源である。
【００８７】
ＬＥＤ光源１０は、原稿台３０への照射光の照射角度が異なる複数のＬＥＤ、ＬＥＤ光源１（１１）およびＬＥＤ光源２（１２）によって構成されている。また、ＬＥＤ光源１５も同様に、原稿台３０への照射光の照射角度が異なる複数のＬＥＤ、ＬＥＤ光源３（１６）およびＬＥＤ光源４（１７）によって構成されている。
【００８８】
すなわち、ＬＥＤ光源１（１１）とＬＥＤ光源３（１６）は同一の照射角で設置されており、ＬＥＤ光源２（１２）とＬＥＤ光源４（１７）は同一の照射角で設置されている。
【００８９】
これらのＬＥＤ光源１（１１）、ＬＥＤ光源２（１２）、ＬＥＤ光源３（１６）、ＬＥＤ光源４（１７）のＬＥＤ光が原稿２０に照射され、このＬＥＤ光に対する反射光を集光板１３によって集光し、ＣＣＤセンサ１４が電気信号に変換することによって画像データを生成する。
【００９０】
このときの画像データは図１に示す構成におけるＣＣＤセンサ１４によって作成される画像データに比べて深度が深くなる。
【００９１】
上記の例では、図４に示す構成のＬＥＤ光源について説明しているが、もちろん、図５に示すようなＬＥＤ光源の構成によって画像データの生成を行うことも可能である。
【００９２】
この図９に示すような構成からなるスキャナの画像読取制御部２００は、実施例１で説明する図６に示す構成と同様であり、このときの図６の設定情報記憶部２３で記憶するＬＥＤ光源設定情報は図１０に示すような構成からなる。
【００９３】
図１０に示すＬＥＤ光源設定情報は、[読取モード]項目１００１、[ＬＥＤ光源１の発光有無]項目１００２、[ＬＥＤ光源２の発光有無]項目１００３、[ＬＥＤ光源１の発光有無]項目１００６、[ＬＥＤ光源２の発光有無]項目１００７によって構成され、[読取モード]項目１００１には、６つの読取モード「文字モード、文字／画像モード、光沢画像モード、立体文字モード、立体文字／画像モード、立体光沢画像モード」が設定されている。
【００９４】
また、[ＬＥＤ光源１の発光有無]項目１００２には、[読取モード]項目１００１に設定されたそれぞれの読取モードに対するＬＥＤ光源１の発光の有無が設定され、文字モードの場合にはＬＥＤ光源１を「ＯＮ」とし、文字／画像モードの場合にはＬＥＤ光源１を「ＯＮ」とし、光沢画像モードの場合にはＬＥＤ光源１を「ＯＦＦ」とし、立体文字モードの場合にはＬＥＤ光源１を「ＯＦＦ」とし、立体文字／画像モードの場合にはＬＥＤ光源１を「ＯＦＦ」とし、立体光沢画像モードの場合にはＬＥＤ光源１を「ＯＦＦ」とすることが設定されている。
【００９５】
さらに、[ＬＥＤ光源２の発光有無]項目１００３には、[読取モード]項目１００１に設定されたそれぞれの読取モードに対するＬＥＤ光源２の発光の有無が設定され、この読取モードのうち「文字／画像モード」が設定されている場合には「文字優先」であるか「光沢画像優先」であるかによってＬＥＤ光源２の発光の有無が設定されている。
【００９６】
文字モードの場合にはＬＥＤ光源２を「ＯＦＦ」とし、文字／画像モードの場合であって文字優先であるときはＬＥＤ光源２を「ＯＦＦ」、光沢画像優先であるときはＬＥＤ光源２を「ＯＮ」とし、光沢画像モードの場合にはＬＥＤ光源２を「ＯＮ」とし、立体文字モードの場合にはＬＥＤ光源２を「ＯＦＦ」とし、立体文字／画像モードの場合であって文字優先であるときはＬＥＤ光源２を「ＯＦＦ」、光沢画像優先であるときはＬＥＤ光源２を「ＯＮ」とし、立体光沢画像モードの場合にはＬＥＤ光源２を「ＯＮ」とすることが設定されている。
【００９７】
また、[ＬＥＤ光源３の発光有無]項目１００６には、[読取モード]項目１００１に設定されたそれぞれの読取モードに対するＬＥＤ光源３の発光の有無が設定され、文字モードの場合にはＬＥＤ光源３を「ＯＦＦ」とし、文字／画像モードの場合にはＬＥＤ光源３を「ＯＦＦ」とし、光沢画像モードの場合にはＬＥＤ光源３を「ＯＦＦ」とし、立体文字モードの場合にはＬＥＤ光源３を「ＯＮ」とし、立体文字／画像モードの場合にはＬＥＤ光源３を「ＯＮ」とし、立体光沢画像モードの場合にはＬＥＤ光源３を「ＯＦＦ」とすることが設定されている。
【００９８】
さらに、[ＬＥＤ光源４の発光有無]項目１００７には、[読取モード]項目１００１に設定されたそれぞれの読取モードに対するＬＥＤ光源４の発光の有無が設定され、この読取モードのうち「文字／画像モード」が設定されている場合には「文字優先」であるか「光沢画像優先」であるかによってＬＥＤ光源４の発光の有無が設定されている。
【００９９】
文字モードの場合にはＬＥＤ光源４を「ＯＦＦ」とし、文字／画像モードの場合であって文字優先であるときはＬＥＤ光源４を「ＯＦＦ」、光沢画像優先であるときはＬＥＤ光源４を「ＯＦＦ」とし、光沢画像モードの場合にはＬＥＤ光源４を「ＯＦＦ」とし、立体文字モードの場合にはＬＥＤ光源４を「ＯＦＦ」とし、立体文字／画像モードの場合であって文字優先であるときはＬＥＤ光源４を「ＯＦＦ」、光沢画像優先であるときはＬＥＤ光源４を「ＯＮ」とし、立体光沢画像モードの場合にはＬＥＤ光源４を「ＯＮ」とすることが設定されている。
【０１００】
この図１０に示すＬＥＤ光源設定情報を用いて、図６に示す光源設定部２２がＬＥＤ光源の設定を行う。
【０１０１】
図１１は、図９に示す装置構成における画像読取装置の詳細な処理の流れを示すフローチャートである。
【０１０２】
図１１において、スキャナの操作パネル等を用いて読取モード等の設定が行われ（１１０１）、読取指示が行われる（１１０２でＹＥＳ）と処理が開始される。
【０１０３】
スキャナでは設定された読取モードを解析し（１１０３）、その読取モードが「立体文字モード、立体文字／画像モード、立体光沢画像モード」のいずれかであって立体画像の読取を行うかを判断する（１１０４）。これらのいずれの設定でもなく立体画像の読取でない場合（１１０４でＮＯ）には、実施例１で説明する図８の位置Ａに遷移して処理が行われる。
【０１０４】
それに対して、読取モードが「立体文字モード、立体文字／画像モード、立体光沢画像モード」のいずれかであって立体画像の読取を行う場合（１１０４でＹＥＳ）には、続いて、「立体文字モード」であるか否かを判断する（１１０５）。
【０１０５】
立体文字モードである場合（１１０５でＹＥＳ）には、ＬＥＤ光源１を発光させ（１１０６）、さらにＬＥＤ光源３を発光させ（１１０７）、原稿台にセットされた原稿の読取処理を行う（１１０８）。
【０１０６】
また、立体文字モードでない場合（１１０５でＮＯ）には、続いて、立体文字／画像モードであるかを判断する（１１０９）。
【０１０７】
読取モードが立体文字／画像モードである場合（１１０９でＹＥＳ）には、さらに文字優先が設定されているかを判断する（１１１０）。文字優先が設定されている場合（１１１０でＹＥＳ）には、ＬＥＤ光源１を発光させ（１１０６）、さらにＬＥＤ光源３を発光させ（１１０７）、原稿台にセットされた原稿の読取処理を行う（１１０８）。
【０１０８】
また、光沢画像優先が設定されている場合（１１１０でＮＯ）には、ＬＥＤ光源１を発光させ（１１１１）、ＬＥＤ光源２を発光させ（１１１２）、ＬＥＤ光源３を発光させ（１１１３）、ＬＥＤ光源４を発光させて（１１１４）原稿台にセットされた原稿の読取処理を行う（１１０８）。
【０１０９】
続いて、読取モードが立体文字／画像モードでない場合（１１０９でＮＯ）には、立体光沢画像モードであるかを判断する（１１１５）。立体光沢画像モードである場合（１１１５でＹＥＳ）には、ＬＥＤ２を発光させ（１１１６）、ＬＥＤ２を発光させて（１１１７）原稿台にセットされた原稿の読取処理を行う（１１０８）。
【０１１０】
光沢画像モードでもない場合（１１０５でＮＯ）には、エラー表示を行って処理を終了する（１１１８）。
【０１１１】
以上に示す実施の形態は、本発明の実施の一形態であって、これらの実施例に限定することなく、その要旨を変更しない範囲内で適宜変形して実施できるものである。
【符号の説明】
【０１１２】
１０        ＬＥＤ光源
１１        ＬＥＤ光源１
１２        ＬＥＤ光源２
１３        集光板
１４        ＣＣＤセンサ
１５        ＬＥＤ光源
１６        ＬＥＤ光源３
１７        ＬＥＤ光源４
２０        入出力制御部
２１        モード解析部
２２        光源設定部
２３        設定情報記憶部
２４        読取制御部
２５        画像補正部
２６        画像データ保存部
３０        原稿台
３１        読取原稿
１００      キャリッジ
２００      画像読取制御部（コントローラ）
【図１】
2010220054.tif 000003
【図２】
2010220054.tif 000004
【図３】
2010220054.tif 000005
【図４】
2010220054.tif 000006
【図５】
2010220054.tif 000007
【図６】
2010220054.tif 000008
【図７】
2010220054.tif 000009
【図８】
2010220054.tif 000010
【図９】
2010220054.tif 000011
【図１０】
2010220054.tif 000012
【図１１】
2010220054.tif 000013